(57)【要約】  少なくとも１つの伝送エレメント（４）を案内するためのケーブルコア（２）と、このケーブルコアを取り囲む、伝送エレメントを防護するためのケーブルシース（３）とを備えたケーブル（１）は、このケーブル（１）の周方向に分配された、このケーブルの長手方向に延びる少なくとも２つの弱化箇所（１１，１２，１３，１４）を有している。これらの弱化箇所はケーブルシース（３）に配置されている。この場合、このケーブルシース（３）には、相応の弱化箇所（１１，１２，１３，１４）に隣接したケーブルシース材料（３）の、各弱化箇所に向かい合ったそれぞれ１つの表面（１５）が設けられている。この場合、ケーブルシース材料（３）は、各表面（１５）の、弱化箇所（１１，１２，１３，１４）に向かい合った側で、残りのケーブルシース材料に全く結合されていないかまたはほぼ結合されていない。弱化箇所（１１，１２，１３，１４）は、この弱化箇所でのケーブルシース（３）の一貫した切断時に、ケーブルシースセグメント（６）が取外し可能であるように配置されている。したがって、ケーブルシース（３）が比較的簡単にかつ十分に損傷なしに残りのケーブル構成要素から取外し可能となる。
2007531021.tif 000002
【特許請求の範囲】
【請求項１】
ケーブル（１）において、
−少なくとも１つの伝送エレメント（４）を案内するためのケーブルコア（２）と、該ケーブルコアを取り囲む、伝送エレメントを防護するためのケーブルシース（３）とが設けられており、該ケーブルシースが、主要な材料を有しており、
−当該ケーブル（１）の周方向に分配された、当該ケーブルの長手方向に延びる少なくとも２つの弱化箇所（１１，１２，１３，１４）が設けられており、該弱化箇所が、ケーブルシース（３）に配置されており、
−該ケーブルシース（３）に、相応の弱化箇所（１１，１２，１３，１４）に隣接した主要なケーブルシース材料（３）の、各弱化箇所に向かい合ったそれぞれ１つの表面（１５）が設けられており、主要なケーブルシース材料（３）が、各表面（１５）の、弱化箇所（１１，１２，１３，１４）に向かい合った側で、主要なケーブルシース材料の残りの部分に、減じられて結合されており、
−弱化箇所（１１，１２，１３，１４）でのケーブルシース（３）の一貫した切断時に、ケーブルシースセグメント（６）が取外し可能であるように、弱化箇所が互いに配置されていることを特徴とする、ケーブル。
【請求項２】
少なくとも１つの弱化箇所（１４）が、切欠きによって形成されており、該切欠きが、特にＶ字形の構成で当該ケーブル（１）の半径方向に形成されている、請求項１記載のケーブル。
【請求項３】
少なくとも１つの弱化箇所（１４）が、当該ケーブルの半径方向でケーブルシース（３）の約１０％〜２０％を貫通している、請求項２記載のケーブル。
【請求項４】
少なくとも１つの弱化箇所（１２，１３）が、当該ケーブルの半径方向にスリット状に形成されている、請求項１から３までのいずれか１項記載のケーブル。
【請求項５】
少なくとも１つの弱化箇所（１２）が、当該ケーブル（１）の半径方向でケーブルシース（３）の外面（３１）に向かって開放している、請求項４記載のケーブル。
【請求項６】
少なくとも１つの弱化箇所（１３）が、当該ケーブル（１）の半径方向でケーブルシース（３）の内面（３２）に向かって開放している、請求項４記載のケーブル。
【請求項７】
少なくとも１つの弱化箇所（１２，１３）が、当該ケーブル（１）の周方向に、約１ｍｍ未満の幅、特に２５０μｍ〜５００μｍの間の幅を有している、請求項４から６までのいずれか１項記載のケーブル。
【請求項８】
少なくとも１つの弱化箇所（１２，１３）が、当該ケーブル（１）の半径方向でケーブルシース（３）の約８０％を貫通している、請求項４から７までのいずれか１項記載のケーブル。
【請求項９】
少なくとも１つの弱化箇所（１１，１２，１３，１４）が、主要なケーブルシース材料によって充填されていない、請求項１から８までのいずれか１項記載のケーブル。
【請求項１０】
少なくとも１つの弱化箇所（１１，１２，１３，１４）が、分離層として形成されており、該分離層が、当該ケーブル（１）の半径方向に延びていて、主要なケーブルシース材料と異なる材料を有している、請求項１から８までのいずれか１項記載のケーブル。
【請求項１１】
少なくとも１つの弱化箇所（１１，１２，１３，１４）が、主要なケーブルシース材料（３）と異なる材料（１６）を有している、請求項１から１０までのいずれか１項記載のケーブル。
【請求項１２】
少なくとも１つの弱化箇所（１１，１２，１３，１４）が、該弱化箇所（１１，１２，１３，１４）と主要なケーブルシース材料（３）との、向かい合って位置する表面の間の分離効果を生ぜしめる材料（１６）で充填されている、請求項１から１１までのいずれか１項記載のケーブル。
【請求項１３】
少なくとも１つの弱化箇所（１１，１２，１３，１４）が、少なくとも一種類の材料、ポリアミド、ポリブチレンテレフタレート（ＰＢＴ）、ポリカーボネートで充填されているかまたは主要なケーブルシース材料（３）の融点と異なる融点を備えた材料を有している、請求項１１または１２記載のケーブル。
【請求項１４】
−ケーブルシース（３）内に少なくとも１つのテンションエレメント（８）または支持エレメント（７）が配置されており、
−ケーブルシース（３）の少なくとも１つの弱化箇所（１４）が、当該ケーブル（１）の、テンションエレメント（８）または支持エレメント（７）とほぼ同じ半径方向に位置しているように当該ケーブル（１）の周方向に配置されている、請求項１から１３までのいずれか１項記載のケーブル。
【請求項１５】
−当該ケーブル（１）が、ケーブルシース（３）の内側に、心線被覆体（２）を備えた心線を有しており、該心線の内部に伝送エレメント（４）が配置されており、
−テンションエレメント（８）または支持エレメント（７）が、当該ケーブル（１）の半径方向でケーブルシースの少なくとも１つの弱化箇所（１４）と心線被覆体（２）との間に配置されている、請求項１４記載のケーブル。
【請求項１６】
−当該ケーブル（１）が、ケーブルシース（３）の内側に、心線被覆体（２）を備えた心線を有しており、該心線の内部に伝送エレメント（４）が配置されており、
−心線被覆体（２）に、当該ケーブルの長手方向に延びる少なくとも１つの弱化箇所（２０）が配置されており、該弱化箇所（２０）によって、心線被覆体（２）が分離可能である、請求項１から１５までのいずれか１項記載のケーブル。
【請求項１７】
心線被覆体（２）の弱化箇所（２０）の半径方向が、ケーブルシース（３）の１つの弱化箇所（１３）の半径方向にほぼ重なるように、心線被覆体（２）の弱化箇所（２０）が、当該ケーブルの周方向に配置されている、請求項１６記載のケーブル。
【請求項１８】
伝送エレメント（４）が、光導波路として形成されている、請求項１から１７までのいずれか１項記載のケーブル。
【請求項１９】
請求項１から１８までのいずれか１項記載のケーブルを製作するための方法において、ケーブルシース（３）を押出し成形し、弱化箇所（１１，１２，１３，１４）をケーブルシースの押出し成形の間に加工することを特徴とする、ケーブルを製作するための方法。
【請求項２０】
心線被覆体（２）を備えた、内部に伝送エレメント（４）が配置された心線をケーブルシース（３）の内側に配置し、この場合、ケーブル（１）の長手方向に延びる少なくとも１つの弱化箇所（２０）を心線被覆体（２）に加工する、請求項１９記載の方法。
【請求項２１】
ケーブルシース（３）と心線被覆体（２）とを同じプロセスステップで製作する、請求項２０記載の方法。
【請求項２２】
心線被覆体（２）の弱化箇所（２０）を、ケーブルシース（３）を製作するための押出し器の通走時に心線被覆体（２）内に進入する工具によって製作する、請求項２０または２１記載の方法。
【発明の詳細な説明】
【技術分野】
【０００１】
本発明は、機械的に分離可能なケーブルであって、少なくとも１つの伝送エレメントを案内するためのケーブルコアと、該ケーブルコアを取り囲む、伝送エレメントを防護するためのケーブルシースとが設けられている形式のものに関する。
【０００２】
光学的な信号または電気的な信号、たとえばデータ、画像または音を伝送するためのケーブルの伝送エレメントを外的な影響から十分に遠ざけるためには、伝送エレメントが、一般的に被覆体によって防護されている。たとえばグラスファイバの形の光導波路を外的な影響に対して防護するための可能性は、光導波路が被覆層（いわゆるコーティング）を備えており、光導波路のこの被覆層にわたって、適切なプラスチックから成るケーブルシースの形の固い防護被覆体が被着されることにある。通信ケーブルは、主にＨＤＰＥプラスチック（高密度ポリエチレン）から成る抵抗性のシースで被覆される。
【０００３】
特に設置および接続のためには、ケーブルのケーブルシースを開放して光導波路から取り外すことが必要となる。たとえばＨＤＰＥケーブルシースの形のケーブルシースを困難にしか再び取り外すことができないことによって、このケーブルの設置技術もしくは接続技術が困難になる。このケーブルの開放には手間がかかり、しばしば、ケーブルもしくは伝送エレメントの損傷もしくは損害が排除されていない。しばしば、使用者によって、伝送エレメントへの良好な接近可能性が、ケーブルのケーブル端部から遠く離れても要求される（Ｍｉｄ  Ｓｐａｎ  Ａｃｃｅｓｓ）。これによって、より大きな範囲にわたるケーブルシースの取外しが必要となる。この場合、ケーブルが分離されてはならない。このことは、特にいわゆる「中心心線」を備えたケーブルの場合に特に困難になる。このケーブルでは、張力を吸収するためのテンションエレメントがケーブルの長手方向で外側のシース領域に敷設されている。ここでは、中心心線の、伝送エレメントが位置する中心に案内された管に到達するために、ケーブルシースの取外しに対して付加的にさらにテンションエレメントも取り外されなければならない。
【０００４】
従来、ケーブルのケーブルシースを取り外すために、いわゆる「引裂き糸」または匹敵し得る長く延ばされた抗張性のエレメントをケーブルシース内に埋め込むことが一般的である。このような抗張性のエレメントは自体、作用点と異なる機能をケーブルシースに規定する必要がなく、抗張性のエレメントへの張力の使用によって、作用点でのケーブルシースの一貫した切断を可能にしなければならない。引裂き糸は、通常、ケーブルシース内に埋め込まれていて、したがって、ケーブルシースの機械的な分離を可能にする。
【０００５】
本発明の課題は、ケーブルシースが比較的簡単にかつ可能な限り損害なしに残りのケーブル構成要素から取外し可能である、機械的に分離可能なケーブルを提供することである。
【０００６】
さらに、本発明の課題は、このようなケーブルを製作するための方法を提供することである。
【０００７】
これらの課題は、請求項１記載のケーブルおよび請求項１９記載の方法によって解決される。
【０００８】
少なくとも１つの伝送エレメントを案内するためのケーブルコアと、このケーブルコアを取り囲む、伝送エレメントを防護するためのケーブルシースとを備えた本発明によるケーブルは、このケーブルの周方向に分配された、このケーブルの長手方向に延びる少なくとも２つの弱化箇所を有している。これらの弱化箇所はケーブルシースに配置されている。このケーブルシースには、相応の弱化箇所に隣接したケーブルシース材料の、各弱化箇所に向かい合ったそれぞれ１つの表面が設けられている。この場合、ケーブルシース材料は、各表面の、弱化箇所に向かい合った側で、残りのケーブルシース材料に全く結合されていないかまたはほぼ結合されていない。弱化箇所は、この弱化箇所でのケーブルシースの一貫した切断時に、ケーブルシースセグメントが取外し可能であるように配置されている。
【０００９】
ケーブルシースへの弱化箇所の配置によって、ケーブルシースまたは、たとえば円セグメントの形のケーブルシース区分を比較的容易にかつ十分に損害なしに残りのケーブル構成要素から切り外すことが可能となる。弱化箇所は、適切な工具によってかまたは工具の補助なしでさえ、ケーブルシースのセグメントの切外しが可能となるように配置することができる。弱化箇所は、有利にはケーブル製作の間にケーブルの長手方向に形成される。弱化箇所は、ケーブルシースの取外しために、ケーブルシースセグメントが取外し可能であり、こうして、ケーブルコアへの接近が提供されるようにケーブルシースに配置されている。
【００１０】
このようなケーブルを製作するためには、ケーブルシースが押出し成形され、弱化箇所が、有利にはケーブルシースの押出し成形時にまたは押出し成形の間に加工される。
【００１１】
有利には、弱化箇所の少なくとも１つが切欠きによって形成されている。この切欠きは、特にＶ字形の構成でケーブルの半径方向に形成されている。このようなＶ字形の弱化箇所は、ケーブルの半径方向で、有利にはケーブルシースの約１０％〜２０％を貫通している。
【００１２】
１つの構成では、弱化箇所の少なくとも１つが、ケーブルの半径方向にスリット状に形成されている。このようなスリット状の弱化箇所は、ケーブルの半径方向でケーブルシースの外面に向かって開放されていてよい。他方では、このようなスリット状の弱化箇所は、ケーブルの半径方向でケーブルシースの内面に向かって開放されていてよい。スリット状の弱化箇所の第１の構成は、弱化箇所に外部から容易に接近可能であると共にこの弱化箇所を良好に認識することができるという利点を有している。第２の構成は、ケーブルシースの、外部に向かって滑らかな表面が得られるという利点を有している。第２のスリット状の構成の場合の充填されていない弱化箇所には外部から接近可能でなく、これによって、この弱化箇所は汚染もされ得なければ、損傷もし得ない。
【００１３】
有利には、このような弱化箇所は、ケーブルの周方向に約１ｍｍ未満の幅、特に２５０μｍ〜５００μｍの間の幅を有している。このような幅は、特にケーブルシースが押出し成形され、弱化箇所がケーブルシースの押出し成形の間に加工される場合に、今日の製造技術的な可能性に相当している。このように寸法設定された弱化箇所によって、ケーブルシースがその安定性において著しく弱化されない。有利には、このような弱化箇所はケーブルの半径方向でケーブルシースの約８０％を貫通している。
【００１４】
１つの構成では、弱化箇所の少なくとも１つが充填されておらず、これによって、たとえば開放した切欠きまたは開放したスリットがケーブルシースに成形される。このような開放した弱化箇所には容易に接近可能であり、これによって、ケーブルシースを一貫して切断するために、工具を容易に弱化箇所に係合させることができる。
【００１５】
別の構成では、弱化箇所の少なくとも１つが分離層として形成されている。この分離層はケーブルの半径方向に延びている。このような分離層は、たとえばケーブルシースの残りの材料と異なる材料を有している。有利には、弱化箇所と主要なケーブルシース材料との、向かい合って位置する表面の間の分離効果を生ぜしめる材料が分離層のために使用される。ケーブルシースがＭＤＰＥ（中密度ポリエチレン）から製造されている事例では、分離層のために適した材料は、特にポリアミド、ポリブチレンテレフタレート（ＰＢＴ）、ポリカーボネートまたは主要なケーブルシース材料の融点と著しく異なる融点を備えた材料である。
【００１６】
ケーブルの有利な構成によれば、ケーブルシースに少なくとも１つのテンションエレメントまたは支持エレメントが配置されている。このテンションエレメントまたは支持エレメントは、特にケーブルを長手方向で張力および剪断力に対して安定化させるために必要となる。したがって、テンションエレメントは抗張性にもしくは引張り強さを備えて形成されていて、たとえば抗張性の糸、たとえばアラミド糸を含有している。これに対して、支持エレメントは、高い剛性を得るために、たとえばＧＦＫプラスチックを有している。いま、本発明によれば、ケーブルシースの弱化箇所の少なくとも１つが、ケーブルの半径方向でテンションエレメントまたは支持エレメントにほぼ重なるようにケーブルの周方向に配置されている。弱化箇所の半径方向と、テンションエレメントまたは支持エレメントの半径方向とは同じであってよい。この場合、弱化箇所はテンションエレメントまたは支持エレメントの上方にまたは下方に同じ半径方向で位置していてよい。弱化箇所がテンションエレメントまたは支持エレメントの上方に位置している場合、弱化箇所が、たとえばケーブルシースを切断するための工具を案内するための補助手段として使用されると有利である。こうして、ケーブルコアの損傷を回避することができる。なぜならば、まず、テンションエレメントまたは支持エレメントで切断されるからである。このようなテンションエレメントまたは支持エレメントが露出させられている場合には、このテンションエレメントまたは支持エレメントをケーブルシースのさらなる裂開のために使用することができる。テンションエレメントおよび支持エレメントは、前述した弱化箇所の各構成、つまり、内向きに位置する構成、外向きに位置する構成、Ｖ字形の構成、スリット状の構成、分離層で充填された構成または充填されていない構成に組合せ可能である。
【００１７】
本発明によるケーブルの別の有利な構成によれば、このケーブルがケーブルシースの内側に、心線被覆体を備えた心線を有している。この心線の内部には、伝送エレメントが配置されている。心線は、たとえば内部に設けられた複数の光ファイバを備えた光学的な束心線として形成されている。この構成によれば、有利には、心線被覆体にも、ケーブルの長手方向に延びる少なくとも１つの弱化箇所が配置されている。この弱化箇所によって、心線被覆体が分離可能となる。これによって、ケーブルの完全な開放が可能となる。なぜならば、ケーブルシースだけでなく、内側に位置する心線も、各弱化箇所によって容易に取外し可能であるからである。
【００１８】
有利には、心線被覆体の弱化箇所は、ケーブルの半径方向でケーブルシースの弱化箇所の１つにほぼ重なるようにケーブルの周方向に配置される。これによって、ケーブルシースに設けられた弱化箇所の位置が、心線に設けられた相応の弱化箇所の位置に合致している。これによって、ケーブルシースと心線被覆体との、容易に接近可能な取外しが１回の作業工程で可能にされている。さらに、ケーブルシースの開放後、「適正な」心線セグメントが把持される。この目的のためには、ケーブルシースと心線被覆体とが、有利には同じプロセスステップで製作される。たとえば、心線被覆体の弱化箇所は、ケーブルシースを製作するための押出し器の通走時に心線被覆体内に進入する工具によって製作される。したがって、たとえば、走入された中心管が押出し器ヘッドの通走時に適切な工具によってスリット付けされる。この場合、同時にケーブルシースにその弱化箇所が加工される。
【００１９】
以下に、本発明によるケーブルの有利な構成を図面につき詳しく説明する。
【００２０】
図１には、ケーブルの１つの実施例の、複数の箇所で分離されたケーブルシースの概略的な横断面が示してある。ケーブル１は、光ファイバの形の伝送エレメント４を案内するための中心の束心線の形のケーブルコア２を有している。ケーブルシース３はケーブルコア２を取り囲んでいて、ファイバ４もしくは中心心線２を防護するために働く。ケーブル１の周方向に分配された、このケーブルの長手方向に延びる複数の弱化箇所１１が設けられている。これらの弱化箇所１１はケーブルシース３に配置されている。弱化箇所１１は、この弱化箇所でのケーブルシース３の一貫した切断時にケーブルシースセグメント６が取外し可能であるように配置されている。弱化箇所１１は、図１には一般的な開口としてしか示していない。この開口はすでに一貫して切断されている。弱化箇所１１の少なくとも２つの一貫した切断によって、たとえば符号６で示した介在するケーブルシースセグメントを取り外すことができる。
【００２１】
図２Ａには、ケーブルの横断面図が示してある。この横断面図では、ケーブルシースに配置された種々異なる構成の弱化箇所が同じケーブルに設けられている。このケーブルの構成によれば、ケーブル１はケーブルシース３の内部に、心線被覆体２を備えた中心心線を有している。この中心心線の内部には、光ファイバ４が配置されている。中心心線自体は中心の支持エレメント５を有している。ケーブルシース３内には、支持エレメント７が配置されている。これらの支持エレメントは、特にケーブルを剪断力または横力に対して安定化させるために必要となる。支持エレメント７は、高い剛性を得るために、たとえば繊維強化プラスチックを有している。
【００２２】
図２Ａでは、弱化箇所１２，１３がケーブル１の半径方向にスリット状に形成されている。弱化箇所１２はケーブルの半径方向でケーブルシース３の外面３１に向かって開放している。これに対して、弱化箇所１３はケーブルの半径方向でケーブルシース３の内面３２に向かって開放している。弱化箇所１２の構成は、この弱化箇所に外部から容易に接近可能であると共にこの弱化箇所を良好に認識することができるという利点を有している。弱化箇所１３の構成は、ケーブルシース３の滑らかな表面が得られるという利点を有している。
【００２３】
弱化箇所１２，１３は、ケーブル１の周方向に約１ｍｍ未満の幅、特に２５０μｍ〜５００μｍの間の幅を有している。このように寸法設定された弱化箇所１２，１３によって、ケーブルシース３がその安定性において著しく弱化されない。有利には、弱化箇所１２，１３はケーブルの半径方向でケーブルシース３の約８０％を貫通している。この事例では、ケーブルシース３が８０％だけ弱化箇所で減じられていて、シース材料の２０％が残されている。
【００２４】
図２Ｂには、図２Ａに示したケーブルの詳細図、特にケーブルシース３に配置された弱化箇所１２の拡大図が示してある。図面と、この図面につき説明する原理とは、相応して弱化箇所１３（および引き続きさらに示す弱化箇所１４，２０）に使用可能である。弱化箇所１２によって、ケーブルシース３には、弱化箇所に隣接したケーブルシース材料３の、弱化箇所１２に向かい合った表面１５ａ，１５ｂ，１５ｃが形成される。ケーブルシースは主に一種類の材料から形成されている。この場合、主要なケーブルシース材料３は、表面１５ａ，１５ｂ，１５ｃの、弱化箇所１２に向かい合った側で、この（同じ）ケーブルシース材料の残りの部分に対して全く結合しないかまたはほぼ結合しない。これによって、ケーブルシース３がこの箇所でより容易に分離可能であることが生ぜしめられる。なぜならば、ケーブルシース材料がこの箇所で、欠落した結合もしくはほんの僅かな結合に基づき容易に分離可能であるからである。にもかかわらず、弱化箇所１２は、ケーブルシース３がその安定性において著しく弱化されないように寸法設定される。
【００２５】
弱化箇所１２，１３は充填されていなくてよく、これによって、開放したスリットがケーブルシース３に成形される。このような開放した弱化箇所には容易に接近可能であり、これによって、ケーブルシースを一貫して切断するために、工具を容易に弱化箇所内に係合させることができる。
【００２６】
ケーブルシースの少なくとも１つまたは全ての弱化箇所は、残りの主要なケーブルシース３と異なる、分離層として働く材料で充填されていてよい。
【００２７】
別の構成では、ケーブルの半径方向に延びる左側に図示した弱化箇所１２が分離層を備えて形成されている。この分離層１２は、主要なケーブルシース３と異なる材料１６、特に弱化箇所１２と主要なケーブルシース材料３との、向かい合って位置する表面の間の欠落した固着またはほんの僅かな固着に基づき分離効果を生ぜしめる材料を有している。分離箇所１３も分離材料１６で選択的に充填されていてよいかまたは、図示のように、充填されていなくてよい。ケーブルシースが主にＭＤＰＥ（中密度ポリエチレン）から製造されている事例では、分離層ために適した材料、特にポリアミド、ポリブチレンテレフタレート（ＰＢＴ）、ポリカーボネートまたはケーブルシース材料の融点と著しく異なる融点を備えた材料が設けられている。有利には、１つのケーブルシースの全ての弱化箇所は同じ構成で形成されており、全ての弱化箇所がこのような分離層を備えているかまたは弱化箇所の一部がこのような分離層を備えており、残りの弱化箇所はこのような分離層を有していない。図２Ａでは、両弱化箇所１２が、上述した材料から形成することができる材料１６で充填されている。
【００２８】
図３には、ケーブルシースに配置された別の構成の弱化箇所を備えたケーブルの横断面図が示してある。弱化箇所１４は切欠きとして形成されている。この切欠きはＶ字形の構成でケーブルの半径方向に成形されている。切欠き１４はケーブルの半径方向でケーブルシースの約１０％〜２０％を貫通している。さらに、ケーブルシース３内には、テンションエレメント８と支持エレメント７とが配置されている。切欠き１４は、ケーブル１の半径方向でテンションエレメント８にほぼ重なるようにケーブル１の周方向に配置されている。この場合、半径方向で見て、１つの切欠き１４が１つのテンションエレメント８の上方でケーブルシースに配置されている。択一的には、切欠き１４がケーブルの半径方向で支持エレメント７に重なる配置形式も考慮される。半径方向で見て、切欠きは１つの支持エレメント７の上方に配置されていてよい（図示せず）。このような互いに相対的な配置形式によって、切開による切欠き１４でのケーブルシース３の一貫した切断時に、まず、テンションエレメント８もしくは支持エレメント７で切断されると、ケーブルコアの損傷を回避することができる。このようなテンションエレメント８または支持エレメント７が露出させられている場合には、このエレメントをケーブルシース３のさらなる裂開のために使用することができる。
【００２９】
図４には、ケーブルシース３だけでなく、中心心線の心線被覆体２にも、ケーブルの長手方向に延びる各弱化箇所１３；２０が配置されたケーブル１の横断面図が示してある。この場合、弱化箇所２０は、外向きに開放したスリットまたは切欠きとして形成されていて、その構造および作用原理において前記実施例のケーブルシース３の弱化箇所１２〜１４に相当している。これによって、ケーブル１の完全な開放が可能にされている。なぜならば、ケーブルシース３だけでなく、内側に位置する心線被覆体２も各弱化箇所１３，２０によって容易に取外し可能であるからである。
【００３０】
弱化箇所はケーブルシースの押出し成形と同時に形成することができる。スリットは、シース押出し成形の間にまたはシース押出し成形と同時に加工することができる。このためには、押出し器ヘッドに、弱化箇所をシースに加工するために、適切な工具が設けられている。また、シース材料３を分離材料１６と一緒に共に押し出すこともできる。図４に示した構成では、押出し器ヘッドの通走時の同一のプロセスステップで中心管２が適切な工具によってスリット付けされ、同時にシースに弱化箇所１３が適切な工具によって加工されるかまたはほんの僅かに固着する分離層材料がシース材料３と同時に押し出される。
【００３１】
有利には、心線被覆体２の弱化箇所２０は、それぞれケーブルの半径方向でケーブルシース３の１つの弱化箇所１３にほぼ重なるようにケーブル１の周方向に配置されている。これによって、ケーブルシース３に設けられた弱化箇所１３の位置が、心線被覆体２に設けられた相応の弱化箇所２０の位置に合致する。これによって、ケーブルシース３と心線被覆体２との、容易に接近可能な取外しが１回の作業工程の間に可能にされている。さらに、ケーブルシース３の開放後、オペレータによって監視される心線セグメントが把持される。
【図面の簡単な説明】
【００３２】
【図１】本発明によるケーブルの１つの実施例の、複数の箇所で分離されたケーブルシースの概略的な横断面図である。
【図２Ａ】ケーブルシースに配置された種々異なる構成の弱化箇所を備えたケーブルの横断面図である。
【図２Ｂ】図２Ａの部分拡大図である。
【図３】ケーブルシースに配置された別の構成の弱化箇所を備えたケーブルの横断面図である。
【図４】ケーブルシースと中心心線とに配置された各弱化箇所を備えたケーブルの横断面図である。
【符号の説明】
【００３３】
１  ケーブル、  ２  ケーブルコアまたは心線被覆体、  ３  ケーブルシース、  ４  伝送エレメント、  ５  支持エレメント、  ６  ケーブルシースセグメント、  ７  支持エレメント、  ８  テンションエレメント、  １１  弱化箇所、  １２  弱化箇所、  １３  弱化箇所、  １４  弱化箇所、  １５ａ，１５ｂ，１５ｃ  表面、  １６  分離材料、  ２０  弱化箇所、  ３１  外面、  ３２  内面
【図１】
2007531021.tif 000003
【図２Ａ】
2007531021.tif 000004
【図２Ｂ】
2007531021.tif 000005
【図３】
2007531021.tif 000006
【図４】
2007531021.tif 000007
【国際調査報告】
2007531021.tif 000008
2007531021.tif 000009
2007531021.tif 000010
2007531021.tif 000011
2007531021.tif 000012
2007531021.tif 000013